(57)【特許請求の範囲】
【請求項１】
データ処理を実行する外部装置に通信可能に接続される端末装置であって、
データを取得する取得手段と、
この取得手段により取得されたデータのデータ量に基づいて、前記取得手段により取得されたデータに対する処理を前記外部装置側で実行させるか当該端末装置側で実行するかを判別する第１判別手段と、
この第１判別手段により前記外部装置側で処理を実行させると判別された場合に、前記取得手段により取得されたデータを前記外部装置に対して送信する第１送信手段と、
処理対象のデータが、当該端末装置側に記憶しているデータか前記外部装置側に記憶されているデータかを識別表示させる表示制御手段と、
を備えることを特徴とする端末装置。
【請求項２】
前記取得手段により取得されたデータのデータ量を検出する検出手段を更に備え、
前記第１判別手段は、前記検出手段により検出されたデータ量に基づいて、前記取得手段により取得されたデータに対する処理を前記外部装置側で実行させるか当該端末装置側で実行するかを判別する、
ようにしたことを特徴とする請求項１記載の端末装置。
【請求項３】
前記取得手段により取得されたデータに対する処理内容を指示する指示手段と、
この指示手段により指示された処理内容に応じた処理を実行させるための命令を前記外部装置に対して送信する第２送信手段と、
を更に備える、
ようにしたことを特徴とする請求項１記載の端末装置。
【請求項４】
前記第１送信手段によりデータを前記外部装置に対して送信したか否かを示す情報を記憶部に記憶させる第１制御手段を更に備え、
前記第１送信手段は、前記記憶部に記憶されている、送信したか否かを示す情報が前記外部装置に対してデータを送信したことを示す場合には、前記命令を前記外部装置に対して送信する、
ようにしたことを特徴とする請求項３記載の端末装置。
【請求項５】
前記第１判別手段により当該端末装置側で処理を実行すると判別された場合に、前記取得手段により取得されたデータを記憶部に記憶させる第２制御手段を更に備える、
ようにしたことを特徴とする請求項１記載の端末装置。
【請求項６】
前記取得手段により取得されたデータに対する処理内容を指示する指示手段と、
この指示手段により指示された処理内容に応じた処理を前記記憶部に記憶されているデータに対して実行する第１処理手段と、
を更に備える、
ようにしたことを特徴とする請求項５記載の端末装置。
【請求項７】
前記第１判別手段により前記外部装置側で処理を実行させると判別された場合に、前記取得手段により取得されたデータを表示部の画面の大きさに応じたサイズに変更して当該表示部の画面に表示させるための表示用情報を生成する生成手段と、
この生成手段により生成された表示用情報を記憶部に記憶させる第３制御手段と、
を更に備える、
ようにしたことを特徴とする請求項１記載の端末装置。
【請求項８】
前記第１判別手段により前記外部装置側で処理を実行させると判別された場合に、前記取得手段により取得されたデータに対する処理内容を指示する指示手段と、
この指示手段により指示された処理内容に基づいて、前記記憶部に記憶されている表示用情報に対する処理を実行する第２処理手段と、
を更に備える、
ようにしたことを特徴とする請求項７記載の端末装置。
【請求項９】
前記第１送信手段により送信されたデータに基づいて、当該端末装置の表示部の画面の大きさに応じたサイズに変更してその表示部の画面に表示させるための表示用情報が前記外部装置側で生成された場合に、その表示用情報を受信する第１受信手段を更に備える、
ようにしたことを特徴とする請求項１記載の端末装置。
【請求項１０】
前記第１送信手段により送信されたデータに基づいて前記外部装置側で処理されたデータを受信する第２受信手段を更に備える、
ようにしたことを特徴とする請求項１記載の端末装置。
【請求項１１】
前記外部装置側で処理が実行されたデータのデータ量に基づいてそのデータに対する処理を前記外部装置側で実行させるか当該端末装置側で実行するかを判別する第２判別手段と、
この第２判別手段により当該端末装置側で処理を実行すると判別された場合に、前記外部装置側で処理が実行されたデータを受信する第３受信手段と、
を更に備える、
ようにしたことを特徴とする請求項１記載の端末装置。
【請求項１２】
コンピュータに対して、
データを取得する機能と、
前記取得されたデータのデータ量に基づいて、前記取得されたデータに対する処理を、データ処理を実行する外部装置側で実行させるか否かを判別する機能と、
前記外部装置側で処理を実行させると判別された場合に、前記取得されたデータを前記外部装置に対して送信する機能と、
処理対象のデータが、当該コンピュータ側に記憶しているデータか前記外部装置側に記憶されているデータかを識別表示させる機能と、
を実現させるためのプログラム。
【発明の詳細な説明】
【技術分野】
【０００１】
本発明は、データ処理を実行する外部装置に通信可能に接続される端末装置及びプログラムに関する。
【背景技術】
【０００２】
従来、携帯電話機などの端末装置では、撮影やダウンロード受信などによって取得した各種のデータ（画像データ、ドキュメントデータなど）に対して、編集処理などの各種の処理を実行する機能を持つものが多い。また、端末装置で取得した各種のデータを、各種の処理を実行するための外部装置に対して通信手段を利用して送信することにより、この外部装置側でそのデータに対する処理を実行させるようにしたシステムも知られている（特許文献１参照）。
【０００３】
ところで、この種のシステムにおいては、例えば、外部装置の処理速度を高速にしたり、高度な処理を実行する機能を組み込んだりすることによって、外部装置の高性能化を図るようにすれば、端末装置側で処理を実行するよりも、高速で高度な処理を実行することが可能となる。その反面、外部装置に処理を行わせる毎に端末装置と外部装置との間でデータを送受信する必要があるために、データの送受信に時間がかかったり、何らかの理由で送受信ができなくなったりする場合には、外部装置側での処理が実行不可能となるという欠点があった。このように端末装置側で取得したデータに対して外部装置側でそのデータ処理を実行させることには、利点と欠点があるために、外部装置側で処理を実行させる方が良い場合と悪い場合とがある。
【先行技術文献】
【特許文献】
【０００４】
【特許文献１】特開２００４−２０８２１０号公報
【発明の概要】
【発明が解決しようとする課題】
【０００５】
しかしながら、上述した先行技術にあっては、外部装置側で処理を実行させる方が良いか否かに関わらず、端末装置側では、データを取得する都度、その取得したデータに対する処理を一律に外部装置側に実行させるようにしているために、端末装置と外部装置との間でその都度、データの送受信を行う必要があり、データの送受信に伴う欠点までも解決するには至っていなかった。
【０００６】
本発明の課題は、端末装置が取得したデータに対する処理を外部装置側で実行させるか否かをそのデータのデータ量に応じて適切に制御できるようにすることである。
【課題を解決するための手段】
【０００７】
上述した課題を解決するために請求項１記載の発明は、データ処理を実行する外部装置に通信可能に接続される端末装置であって、データを取得する取得手段と、この取得手段により取得されたデータのデータ量に基づいて、前記取得手段により取得されたデータに対する処理を前記外部装置側で実行させるか当該端末装置側で実行するかを判別する第１判別手段と、この第１判別手段により前記外部装置側で処理を実行させると判別された場合に、前記取得手段により取得されたデータを前記外部装置に対して送信する第１送信手段と、処理対象のデータが、当該端末装置側に記憶しているデータか前記外部装置側に記憶されているデータかを識別表示させる表示制御手段と、を備えることを特徴とする。
【０００８】
請求項１に従属する発明として、前記取得手段により取得されたデータのデータ量を検出する検出手段を更に備え、前記第１判別手段は、前記検出手段により検出されたデータ量に基づいて、前記取得手段により取得されたデータに対する処理を前記外部装置側で実行させるか当該端末装置側で実行するかを判別する、ようにしたことを特徴とする請求項２記載の発明であってもよい。
【０００９】
請求項１に従属する発明として、前記取得手段により取得されたデータに対する処理内容を指示する指示手段と、この指示手段により指示された処理内容に応じた処理を実行させるための命令を前記外部装置に対して送信する第２送信手段と、を更に備える、ようにしたことを特徴とする請求項３記載の発明であってもよい。
【００１０】
請求項３に従属する発明として、前記第１送信手段によりデータを前記外部装置に対して送信したか否かを示す情報を記憶部に記憶させる第１制御手段を更に備え、前記第１送信手段は、前記記憶部に記憶されている、送信したか否かを示す情報が前記外部装置に対してデータを送信したことを示す場合には、前記命令を前記外部装置に対して送信する、ようにしたことを特徴とする請求項４記載の発明であってもよい。
【００１１】
請求項１に従属する発明として、前記第１判別手段により当該端末装置側で処理を実行すると判別された場合に、前記取得手段により取得されたデータを記憶部に記憶させる第２制御手段を更に備える、ようにしたことを特徴とする請求項５記載の発明であってもよい。
【００１２】
請求項５に従属する発明として、前記取得手段により取得されたデータに対する処理内容を指示する指示手段と、この指示手段により指示された処理内容に応じた処理を前記記憶部に記憶されているデータに対して実行する第１処理手段と、を更に備える、ようにしたことを特徴とする請求項６記載の発明であってもよい。
【００１３】
請求項１に従属する発明として、前記第１判別手段により前記外部装置側で処理を実行させると判別された場合に、前記取得手段により取得されたデータを表示部の画面の大きさに応じたサイズに変更して当該表示部の画面に表示させるための表示用情報を生成する生成手段と、この生成手段により生成された表示用情報を記憶部に記憶させる第３制御手段と、を更に備える、ようにしたことを特徴とする請求項７記載の発明であってもよい。
【００１４】
請求項７に従属する発明として、前記第１判別手段により前記外部装置側で処理を実行させると判別された場合に、前記取得手段により取得されたデータに対する処理内容を指示する指示手段と、この指示手段により指示された処理内容に基づいて、前記記憶部に記憶されている表示用情報に対する処理を実行する第２処理手段と、を更に備える、ようにしたことを特徴とする請求項８記載の発明であってもよい。
【００１５】
請求項１に従属する発明として、前記第１送信手段により送信されたデータに基づいて、当該端末装置の表示部の画面の大きさに応じたサイズに変更してその表示部の画面に表示させるための表示用情報が前記外部装置側で生成された場合に、その表示用情報を受信する第１受信手段を更に備える、ようにしたことを特徴とする請求項９記載の発明であってもよい。
【００１６】
請求項１に従属する発明として、前記第１送信手段により送信されたデータに基づいて前記外部装置側で処理されたデータを受信する第２受信手段を更に備える、ようにしたことを特徴とする請求項１０記載の発明であってもよい。
【００１７】
請求項１に従属する発明として、前記外部装置側で処理が実行されたデータのデータ量に基づいてそのデータに対する処理を前記外部装置側で実行させるか当該端末装置側で実行するかを判別する第２判別手段と、この第２判別手段により当該端末装置側で処理を実行すると判別された場合に、前記外部装置側で処理が実行されたデータを受信する第３受信手段と、を更に備える、ようにしたことを特徴とする請求項１１記載の発明であってもよい。
【００１９】
また、上述した課題を解決するために請求項１２記載の発明は、コンピュータに対して、データを取得する機能と、前記取得されたデータのデータ量に基づいて、前記取得されたデータに対する処理を、データ処理を実行する外部装置側で実行させるか否かを判別する機能と、前記外部装置側で処理を実行させると判別された場合に、前記取得されたデータを前記外部装置に対して送信する機能と、処理対象のデータが、当該コンピュータ側に記憶しているデータか前記外部装置側に記憶されているデータかを識別表示させる機能と、を実現させるためのプログラムであることを特徴とする。
【発明の効果】
【００２０】
本発明によれば、端末装置で取得したデータに対する処理を外部装置側で実行させるか否かをそのデータのデータ量に応じて適切に制御することができ、柔軟性や実用性に富んだものとなる。
【図面の簡単な説明】
【００２１】
【図１】端末装置として適用した携帯電話機が利用可能な通信ネットワークシステムを示したブロック図。
【図２】携帯電話機１の基本的な構成要素を示したブロック図。
【図３】データ記憶部Ｍ３を説明するための図。
【図４】送信条件記憶部Ｍ４を説明するための図。
【図５】電源投入に伴って実行開始される携帯電話機１側の全体動作の概要を示したフローチャート。
【図６】データの取得処理（図５のステップＡ６）を詳述するためのフローチャート。
【図７】送信判別処理（図６のステップＢ９）を詳述するためのフローチャート。
【図８】編集処理（図５のステップＡ８）を詳述するためのフローチャート。
【図９】編集対象のデータに対する処理を編集装置４側で実行させるための処理Ａ（図８のステップＤ８）を詳述するためのフローチャート。
【図１０】編集対象のデータに対する処理を携帯電話機１側で実行する処理Ｂ（図８のステップＤ１１）を詳述するためのフローチャート。
【図１１】実施形態（図９）の変形例として、携帯電話機１側で表示用情報の編集を行う場合の処理Ａを詳述するためのフローチャート。
【発明を実施するための形態】
【００２２】
以下、図１〜図１０を参照して本発明の実施形態を説明する。
この実施形態は、端末装置として携帯電話機に適用した場合を例示したもので、図１は、この携帯電話機が利用可能な通信ネットワークシステムを示したブロック図である。
携帯電話機１には、通話機能、電子メール機能、インターネット接続機能（Ｗｅｂアクセス機能）、データ通信機能、カメラ機能などが備えられている。携帯電話機１は、最寄りの基地局２Ａ、交換機２Ｂから無線通信網（移動体通信網）２に接続されると、この無線通信網２を介して他の携帯電話機（図示省略）との間で通話可能な状態となる。また、携帯電話機１は、無線通信網２を介してインターネット３に接続されると、Ｗｅｂサイトをアクセスして閲覧可能となったり、所望するデータをダウンロード受信することができるようになったり、また、編集などの各種処理が実行可能な外部装置（編集装置）４との間でデータの送受信が可能となったりする。
【００２３】
外部装置（編集装置）４は、例えば、通信事業者側に配設されているサーバ装置であり、会員登録されているユーザ側の携帯電話機１からの依頼（編集命令）を受けて各種のデータ（この実施形態では、画像データやドキュメントデータ）に対する編集処理を実行するもので、携帯電話機１に比べて高速で高度な編集処理を実行可能となっている。なお、編集装置４の構成については、図示省略したが、データを処理する処理部、携帯電話機１との間で各種データや各種命令を通信する通信部、各種データを記憶する記憶部などを備えている。
【００２４】
図２は、携帯電話機１の基本的な構成要素を示したブロック図である。
中央制御部１１は、二次電池を備えた電池部１２からの電力供給によって動作し、記憶部１３内の各種のプログラムに応じてこの携帯電話機１の全体動作を制御する中央演算処理装置やメモリ（図示省略）などを有している。この記憶部１３には、プログラム記憶部Ｍ１、各種情報一時記憶部Ｍ２、データ記憶部Ｍ３、送信条件記憶部Ｍ４などが設けられている。プログラム記憶部Ｍ１は、図５〜図１１に示した動作手順に応じて本実施形態を実現するためのプログラムや各種のアプリケーションなどが格納されているほか、それに必要とする情報などが記憶されている。なお、記憶部１３は、例えば、ＳＤカード、ＩＣカードなど、着脱自在な可搬型メモリ（外部記憶媒体）を含む構成であってもよく、図示しない所定の外部サーバ上にあってもよい。各種情報一時記憶部Ｍ２は、フラグ情報、画面情報など、携帯電話機１が動作するために必要な各種の情報を一時的に記憶するワーク領域である。なお、データ記憶部Ｍ３、送信条件記憶部Ｍ４については後で詳述するものとする。
【００２５】
無線通信部１４は、無線部、ベースバンド部、多重分離部などを備え、例えば、通話機能、電子メール機能、データ通信機能、インターネット接続機能などの動作時に、最寄りの基地局２Ａとの間でデータの送受信を行うもので、通話機能の動作時にはベースバンド部の受信側から信号を取り込んで受信ベースバンド信号に復調して中央制御部１１に対して出力すると、中央制御部１１は、音声信号処理部１５を介して通話用スピーカＳＰから音声出力させ、また、通話用マイクＭＣからの入力音声データを音声信号処理部１５から取り込み、送信ベースバンド信号に符号化した後、ベースバンド部の送信側に与えてアンテナＡＮから発信出力させる。表示部１６は、高精細液晶や有機ＥＬを使用し、例えば、例えば、待受画像、アイコン、日時情報のほか、テキストデータ、メール、Ｗｅｂページなどを表示するもので、この表示部１６の画面の大きさ（縦サイズ×横サイズ）は、例えば、６４０×４８０ドットとなっているが、これに限らず、４８０×８００ドットなどであってもよく、その大きさは任意である。
【００２６】
操作部１７は、ダイヤル入力、文字入力、コマンド入力などを入力するもので、中央制御部１１は、この操作部１７からの入力操作信号に応じた処理を実行する。例えば、データ取得操作に応じてデータ取得処理を行ったり、データ編集開始操作に応じて各種データに対する編集処理を行ったり、電源オンオフ操作に応じて電源オン／オフ処理を行ったりする。ここで、データ取得処理とは、カメラ機能で撮影された画像データを取得したり、ダウンロード受信によりデータを取得したり、操作部１７から入力作成されたデータを取得したり、着脱自在な外部記憶媒体（図示省略）からデータをコピー取得したりする処理である。ＲＴＣ（リアルタイムクロックモジュール）１８は、時計部を構成するもので、中央制御部１１は、ＲＴＣ１８から現在日時を取得する。
【００２７】
報知部１９は、サウンドスピーカ１９Ａ、ＬＥＤ（発光ダイオード）１９Ｂ、振動モータ１９Ｃを備え、着信時に駆動されて着信報知を行うほか、アラーム報知時などでも駆動される。撮像部２０は、カメラ機能を構成する構成要素で、撮像素子（例えば、ＣＣＤあるいはＣＭＯＳ）を有し、静止画撮影のほかに動画撮影も可能となっている。そして、撮像部２０は、撮影レンズ、測距センサ、光量センサ、アナログ処理回路、信号処理回路、圧縮伸張回路などを備えている。
【００２８】
図３は、データ記憶部Ｍ３を説明するための図である。
データ記憶部Ｍ３は、上述したデータ取得処理の実行により取得した各種のデータとして、画像データやドキュメントデータを記憶するもので、図３（１）は、画像データを記憶するデータ記憶部Ｍ３の内容を示し、（２）は、ドキュメントデータ（文書データ、表計算データなど）を記憶するデータ記憶部Ｍ３の内容を示している。そして、データ記憶部Ｍ３は、「データＩＤ」、「データ」、「表示用情報」、「付加情報」、「送信済みフラグ」、…を有する構成で、「データＩＤ」は、データの種類を示す「識別ＩＤ」と、データを識別する「番号」とを有し、画像データの「識別ＩＤ」は、“Ａ”、また、ドキュメントデータの「識別ＩＤ」は、“Ｂ”となっている。「データ」は、実際の画像データやドキュメントデータを示している。なお、図中、「データ」内の“−”は、データが記憶されていないことを示している。
【００２９】
「表示用情報」は、画像データやドキュメントデータを表示部１６の画面の大きさ（例えば、６４０×４８０ドット）に応じたサイズに変更して表示部１６の画面に表示させるための表示用情報を示している。そして、「表示用情報」は、「データ」の内容、つまり、元データから生成されたもので、元データのサイズが表示部１６の画面よりも大きい場合には、元データよりも画像サイズやデータサイズを少なくした情報である。なお、「表示用情報」は画像サイズを表示部１６の画面に合わせるだけでなく、表示色数など様々な条件（パラメータ）を表示部１６の画面の性能に合わせるようにしている。また、画像サイズやデータサイズのほかに、この元データに対してフルカラー画像をグレー化するなどの減色した情報とすれば、更に、元データよりもデータ量を少なくすることができる。「付加情報」は、「タイトル」のほかに「その他の情報」からなっている。画像データの「その他の情報」は、例えば、記憶日時、画像サイズ、撮影条件などを示し、ドキュメントデータのその他の情報」は、例えば、作成日時、記録日時、データサイズ、ページ数、作成者などを示している。「送信済みフラグ」は、対応するデータを編集装置４側に送信済みであるか否かを示すもので、その値が“１”のときには、送信済みであることを示している。
【００３０】
図４は、送信条件記憶部Ｍ４を説明するための図である。
送信条件記憶部Ｍ４は、上述したデータ取得処理の実行により取得したデータに対してそのデータ量（画像サイズ、データサイズ、ページ数など）に応じて編集装置４側にそのデータを送信するか否かを判別するための送信条件を記憶するもので、「種別ＩＤ」、「送信条件」、「設定フラグ」を有する構成となっている。なお、「種別ＩＤ」は、上述したように、画像データについては、“Ａ”、ドキュメントデータについては、“Ｂ”を示している。「送信条件」は、データを編集装置４に送信するための具体的な条件を記憶するもので、条件種を示す「項目」とその具体的な条件を示す「内容」を有している。
【００３１】
図示の例において、「種別ＩＤ」が“Ａ”（画像データ）に対応する「項目」には、“画像サイズ”、“データサイズ”、…が記憶され、“画像サイズ”に対応する「内容」には、“６４０×４８０ドット（縦サイズ×横サイズ）以上”が記憶され、“データサイズ”に対応する「内容」には、“２００ＫＢ（キロバイト）以上”が記憶されている。なお、
“画像サイズ”は縦サイズ×横サイズに限らず、縦サイズ又は横サイズであってもよい。また、「送信条件」として、画像サイズ、データサイズ、ページ数の個々に限らず、画像サイズ、データサイズ、ページ数の任意に組み合わせたものを送信条件（データ量）としてもよい。また、「種別ＩＤ」が“Ｂ”（ドキュメントデータ）に対応する「項目」には、“データサイズ”、“ページ数”、…が記憶され、“データサイズ”に対応する「内容」には、“３００ＫＢ以上”が記憶され、“ページ数”に対応する「内容」には、“５ページ以上”が記憶されている。
【００３２】
「設定フラグ」は、各「種別ＩＤ」毎に現在有効な送信条件を示すもので、その値が“１”は、有効な条件を示し、“０”は、無効な条件を示し、図示の例では、「種別ＩＤ」が“Ａ”（画像データ）の場合には、“画像サイズ”の送信条件が有効であることを示し、「種別ＩＤ」が“Ｂ”（ドキュメントデータ）の場合には、“データサイズ”の送信条件が有効であることを示している。中央制御部１１は、現在有効な送信条件に基づいてデータを編集装置４に送信するか否か、つまり、取得データに対する処理（編集処理）を編集装置４側で実行させるか否かを判別し、その結果、送信条件を満たす場合には、取得データを編集装置４側に送信してそのデータに対する編集処理を実行させるようにしている。この場合、どのような編集処理を実行させるかを示す処理内容がユーザ操作により指示されると、その処理内容に応じた編集処理を実行させるための命令を編集装置４に対して送信するようにしている。
【００３３】
次に、この実施形態における携帯電話機１の動作概念を図５〜図１０に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。
【００３４】
図５は、電源投入に伴って実行開始される携帯電話機１側の全体動作の概要を示したフローチャートである。
先ず、携帯電話機１の中央制御部１１は、電源を投入する電源オン操作が行われると（ステップＡ１でＹＥＳ）、電源供給を開始させて所定のメモリなどを初期化する電源オン処理を実行したのち、所定の待受画像を読み出して表示させたり、基地局２Ａとの間で通信を行って位置登録をしたりする待受処理を行う（ステップＡ２）。ここで、設定操作が行われたか（ステップＡ３）、データ取得操作が行われたか（ステップＡ５）、編集開始操作が行われたか（ステップＡ７）、電源オフ操作が行われたか（ステップＡ９）、その他の操作が行われたかを調べる（ステップＡ１１）。
【００３５】
いま、任意の情報を設定するための設定操作が行われたときには（ステップＡ３でＹＥＳ）、その操作に対応する設定処理として、例えば、送信条件記憶部Ｍ４に対する設定などを行う（ステップＡ４）。なお、送信条件記憶部Ｍ４に対しては「設定フラグ」の内容や「送信条件」の「内容」を任意に書き替えことが可能な設定処理を行う。このような設定処理が終わると、上述のステップＡ３に戻る。また、データの取得操作が行われたときには、つまり、データのダウンロードを指示するダウンロード操作や撮影を指示する撮影操作、ドキュメントデータの新規作成を指示する操作などが行われたときには（ステップＡ５でＹＥＳ）、後述するデータの取得処理を行った後（ステップＡ６）、上述のステップＡ３に戻る。
【００３６】
図６は、データの取得処理（図５のステップＡ６）を詳述するためのフローチャートである。
先ず、中央制御部１１は、データを取得するためのデータ取得操作は、どのような種類の操作であるかを判別する（ステップＢ１〜Ｂ３）。すなわち、データ取得操作は、画像撮影操作であったか（ステップＢ１）、データダウンロード操作であったか（ステップＢ２）、ドキュメントデータ新規作成操作であったか、その他のデータ取得操作であったのかを判別する（ステップＢ３）。
【００３７】
いま、画像撮影操作であれば（ステップＢ１でＹＥＳ）、撮像部２０を起動して撮影された画像データを取得する（ステップＢ４）。また、データダウンロード操作であれば（ステップＢ２でＹＥＳ）、無線通信網２、インターネット３を介してダウンロード受信したデータを取得する（ステップＢ５）。また、ドキュメントデータ新規作成操作であれば（ステップＢ３でＹＥＳ）、操作部１７から入力作成されたドキュメントデータを取得し（ステップＢ６）、その他のデータ取得操作であれば（ステップＢ３でＮＯ）、その他のデータ取得操作に応じたデータ取得処理を行う。例えば、その他のデータ取得操作が外部記憶媒体からデータをコピーする操作であれば、データ取得処理として外部記憶媒体からデータをコピー取得する処理を行う（ステップＢ７）。
【００３８】
上述のようにして取得したデータを付加情報、表示用情報と共に各種情報一時記憶部Ｍ２に一時記憶させる（ステップＢ８）。ここで、この取得データに付加情報があれば、この付加情報も合わせて一時記憶させるが、その際、必要に応じて付加情報を生成するときには、撮影条件、撮影日時、ドキュメントデータの作成日時などを付加情報として生成して一時記憶させ、また、取得データに表示用情報があれば、この表示用情報も合わせて一時記憶させる。そして、この一時記憶の取得データを編集装置４に対して送信するか否かを判別する送信判別処理に移る（ステップＢ９）。
【００３９】
図７は、送信判別処理（図６のステップＢ９）を詳述するためのフローチャートである。
先ず、中央制御部１１は、各種情報一時記憶部Ｍ２に一時記憶されている取得データの種別として、画像データであるかドキュメントデータであるかを検出すると共に（ステップＣ１）、その種別に基づいて送信条件記憶部Ｍ４を参照し、「設定フラグ」が“１”の送信条件を読み出す（ステップＣ２）。すなわち、図４（１）の例では、種別が“Ａ”の場合に「設定フラグ」が“１”の「項目」は、“画像サイズ”であるから、この画像サイズの送信条件として“６４０×４８０ドット以上”を読み出し、また、種別が“Ｂ”の場合に「設定フラグ」が“１”の「項目」は、“データサイズ”であるから、このデータサイズの送信条件として“３００ＫＢ以上”を読み出す。
【００４０】
そして、読み出した送信条件の「項目」は、画像サイズであるか（ステップＣ３）、データサイズであるか（ステップＣ４）、ページ数であるかその他の項目であるかを調べる（ステップＣ５）。いま、読み出した送信条件の「項目」が画像サイズであれば（ステップＣ３でＹＥＳ）、一時記憶の取得データをアクセスしてその画像サイズを検出し（ステップＣ６）、データサイズであれば（ステップＣ４でＹＥＳ）、一時記憶の取得データをアクセスしてそのデータサイズを検出する（ステップＣ７）。
【００４１】
送信条件の「項目」がページ数であれば（ステップＣ５でＹＥＳ）、一時記憶の取得データをアクセスしてそのページ数を検出し（ステップＣ８）、その他の項目内容であれば（ステップＣ５でＮＯ）、一時記憶の取得データをアクセスしてその項目内容に応じたデータ量を検出する（ステップＣ９）。なお、この実施形態においてデータ量の検出は、一時記憶の取得データを解析することにより、その画像サイズ、データサイズ、ページ数などを検出したり、その取得データに付加されている付加情報内に画像サイズ、データサイズ、ページ数などが含まれている場合には、その付加情報から画像サイズ、データサイズ、ページ数などをデータ量として読み出したりするようにしている。つまり、一時記憶の取得データに付加情報がない場合や付加情報が有ってもデータ量が含まれていない場合には、一時記憶の取得データを解析することによりそのデータ量を検出するようにしている。
【００４２】
このようにして検出したデータ量（画像サイズ、データサイズ、ページ数など）と、上述のようにして読み出した送信条件とを比較し（ステップＣ１０）、その結果、検出したデータ量は、送信条件を満たすか否かを調べ（ステップＣ１１）、送信条件を満たす場合には（ステップＣ１１でＹＥＳ）、一時記憶の取得データに対する処理を編集装置４側で実行させると判別するが（ステップＣ１２）、送信条件を満たさない場合には（ステップＣ１１でＮＯ）、編集装置４側で処理を実行させないと判別、つまり、携帯電話機１側で処理を実行すると判別する（ステップＣ１３）。
【００４３】
このような送信判別処理（図６のステップＢ９）が終わると、図６のステップＢ１０に移り、その判別の結果、編集装置４側で処理を実行させると判別したときには（ステップＢ１０でＹＥＳ）、一時記憶の取得データに表示用情報が対応付けられているか否かを調べ（ステップＢ１１）、表示用情報がなければ（ステップＢ１１でＮＯ）、一時記憶の取得データに基づいて表示用情報を生成する処理に移る（ステップＢ１２）。この場合、一時記憶の取得データを表示部１６の画面の大きさに応じたサイズに変更したり、減色したりして表示用情報を生成するようにしているが、その生成の仕方はこれに限らない。
【００４４】
そして、次のステップＢ１３に移り、一時記憶の取得データを除き、付加情報（付加情報がある場合）と表示用情報を、新たに生成したデータＩＤと共にデータ記憶部Ｍ３に追加記憶させる。すなわち、編集装置４側で処理を実行させると判別したデータについては、そのデータを記憶させずに、その表示用情報、付加情報を、データＩＤと共にデータ記憶部Ｍ３に追加記憶させる。その後、このデータＩＤ、一時記憶の取得データ、表示用情報、付加情報がある場合にはその付加情報を編集装置４に対して送信する（ステップＢ１４）。なお、編集装置４側では、携帯電話機１から受信したデータＩＤ、一時記憶の取得データ、表示用情報、付加情報をそれぞれ対応付けて記憶保存するようにしている。このようにして一時記憶の取得データなどをデータ編集装置４に対して送信したときには、送信済みであることを示すためにデータ記憶部Ｍ３内の対応する「送信済みフラグ」を“１”とした後（ステップＢ１５）、図５のステップＡ３に戻る。
【００４５】
上述の送信判別処理（ステップＢ９）の結果、編集装置４側での処理ではなく、携帯電話機１側で処理を実行すると判別したときには（ステップＢ１０でＮＯ）、一時記憶の取得データに表示用情報が対応付けられているかを調べ（ステップＢ１６）、表示用情報があれば（ステップＢ１７でＹＥＳ）、一時記憶の取得データ、表示用情報、付加情報（付加情報がある場合）を、新たに生成した「データＩＤ」と共にデータ記憶部Ｍ３に追加記憶させる（ステップＢ１７）。また、表示用情報がなければ（ステップＢ１６でＮＯ）、一時記憶の取得データ、付加情報（付加情報がある場合）を、新たに生成したデータＩＤと共にデータ記憶部Ｍ３に追加記憶させる（ステップＢ１８）。なお、表示用情報の生成は、この時点では行わず、後述する編集処理の中で生成するようにしている。このようにして一時記憶の取得データなどを編集装置４に送信しなかったときには、送信していないことを示すためにデータ記憶部Ｍ３内の対応する「送信済みフラグ」を“０”とした後（ステップＢ１９）、図５のステップ３に戻る。
【００４６】
一方、編集開始操作が行われたときには（図５のステップＡ７でＹＥＳ）、それに応答して編集処理を行った後（ステップＡ８）、上述のステップＡ３に戻る。
図８は、編集処理（図５のステップＡ８）を詳述するためのフローチャートである。
先ず、中央制御部１１は、編集開始操作に応答してデータ記憶部Ｍ３内の各種のデータを一覧表示させ、その一覧画面の中からユーザの所望するデータを編集対象として指定するデータ指定操作が行われると（ステップＤ１でＹＥＳ）、データ記憶部Ｍ３を参照し、編集対象として指定されたデータ（編集対象のデータ）に対応付けて表示用情報が記憶されているかを調べる（ステップＤ２）。
【００４７】
いま、指定された編集対象のデータに対応付けてデータ記憶部Ｍ３内に表示用情報が記憶されていれば（ステップＤ２でＹＥＳ）、後述するステップＤ５に移るが、表示用情報が記憶されていなければ（ステップＤ２でＮＯ）、この編集対象のデータに基づいて表示用情報を生成する処理に移る（ステップＤ３）。この場合、編集対象のデータを表示部１６の画面の大きさに応じたサイズに変更したり、減色編集したりして表示用情報を生成するようにしているが、その生成の仕方はこれに限らない。そして、生成した表示用情報を指定された編集対象のデータに対応付けてデータ記憶部Ｍ３内に記憶させた後（ステップＤ４）、ステップＤ５に移る。
【００４８】
上述のステップＤ５では、データ記憶部Ｍ３内の対応する「送信済みフラグ」を参照し、その値が“１”であるかを調べ、それが“１”であれば（ステップＤ５でＹＥＳ）、データ記憶部Ｍ３から編集対象のデータに対応する表示用情報を読み出して表示部１６に表示させると共に（ステップＤ６）、編集対象のデータが編集装置４側に存在していることを表示部１６に識別表示（例えば、アイコン表示）させる（ステップＤ７）。その後、編集対象のデータに対する編集処理を編集装置４側で実行させるための処理Ａ（後述する）を行う（ステップＤ９）。
【００４９】
送信済みフラグ」が“０”であれば（ステップＤ５でＮＯ）、データ記憶部Ｍ３から編集対象のデータに対応する表示用情報を読み出して表示部１６に表示させると共に（ステップＤ９）、編集対象のデータが携帯電話機１側に存在していることを表示部１６に識別表示（例えば、アイコン表示）させる（ステップＤ１０）。そして、編集対象のデータに対する編集処理を携帯電話機１側で実行するための処理Ｂ（後述する）を行う（ステップＤ１１）。その後、図５のステップＡ３に戻る。
【００５０】
図９は、編集対象のデータに対する処理を編集装置４側で実行させるための処理Ａ（図８のステップＤ８）を詳述するためのフローチャートである。
先ず、中央制御部１１は、編集対象のデータに対する編集操作として、例えば、画像データに対しては特殊効果の付与、部分切り取り、回転、減色などの操作、また、ドキュメントデータに対しては文字入力、ページ削除、減色などの編集操作が行われると（ステップＥ１でＹＥＳ）、その編集操作の内容に応じた編集命令を、そのデータＩＤと共に編集装置４に対して送信する（ステップＥ２）。
【００５１】
この場合、編集装置４側では、編集命令を受信する毎にデータＩＤで特定される表示用情報に対して編集命令に応じた内容の編集を行い、編集後の表示用情報を生成してデータＩＤと共に携帯電話機１に送信するようにしている。この場合、編集装置４側では、データＩＤで特定される表示用情報の編集のみを行い、それに対応するデータに対する編集は、携帯電話機１側で編集終了操作が行われたことを条件に行うようにしている。このように編集装置４側では、表示用情報の編集と、それに対応するデータの編集とを分けて行うようにしている。携帯電話機１は、編集装置４から編集後の表示用情報をデータＩＤと共に受信すると（ステップＥ３でＹＥＳ）、このデータＩＤに基づいてデータ記憶部Ｍ３を検索し、対応する「表示用情報」の内容を編集後の表示用情報に書き変えることにより「表示用情報」の更新を行う（ステップＥ４）。そして、更新した「表示用情報」を読み出して表示部１６に表示させた後（ステップＥ５）、上述のステップＥ１に戻る。以下、編集操作が行われる毎に上述の動作を繰り返す（ステップＥ１〜Ｅ５）。
【００５２】
ここで、編集の終了を指示する終了操作が行われたときには（ステップＥ６でＹＥＳ）、編集装置４に対して編集終了命令をデータＩＤと共に送信する（ステップＥ７）。この場合、編集装置４側では、受信したデータＩＤで特定されるデータに対して編集終了命令を受信する前までに受信した編集命令の内容に応じてそのデータを一括編集し、編集後のデータを記憶保存するようにしている。携帯電話機１側では、編集終了命令を送信した後、図７のフローチャートに従った送信判別処理を行う（ステップＥ８）。すなわち、編集により編集後のデータが送信条件を満たさなくなったり、満たすようになったりする可能性があるため、上述の送信判別処理を行う。
【００５３】
送信判別処理（ステップＥ８）でのデータ量の検出（図７のステップＣ６〜Ｃ９）は、編集装置４から編集後のデータのデータ量を受信することにより行うようにしている。すなわち、編集装置４は、編集処理の完了時に、編集後のデータに対してそのデータ量（画像サイズ、データサイズ、ページ数など）を検出して、その検出結果（データ量）をデータＩＤと共に携帯電話機１に送信し、携帯電話機１側では、編集装置４からデータ量を受信して送信判別処理を実行するようにしている。なお、送信判別処理でのデータ量の検出は、これに限らず、編集装置４から編集後のデータを受信してそれを解析することにより行うようにしてもよい。
【００５４】
この送信判別処理（ステップＥ８）の結果、編集装置４側で処理を実行させると判別したときには（ステップＥ９でＹＥＳ）、この編集後のデータを記憶する処理を行わずに、図８のフローに戻るが、編集装置４側で処理を実行させない、つまり、携帯電話機１側で処理を実行すると判別したときには（ステップＥ９でＮＯ）、そのデータＩＤと共にデータの送信要求を編集装置４に対して送信する（ステップＥ１０）。この場合、編集装置４側では、携帯電話機１から送信要求を受信すると、そのデータＩＤで特定される編集後のデータを読み出して携帯電話機１に送信するようにしている。携帯電話機１は、編集装置４から編集後のデータと共にそのデータＩＤを受信すると（ステップＥ１１でＹＥＳ）、受信したデータＩＤに基づいてデータ記憶部Ｍ３を検索し、対応する「データ」の内容を編集後のデータに書き変えることにより、その「データ」の更新を行った後（ステップＥ１２）、データ記憶部Ｍ３内の対応する「送信済みフラグ」を“０”とする（ステップＥ１３）。その後、図８のフローに戻る。
【００５５】
図１０は、編集対象のデータに対する処理を携帯電話機１側で実行する処理Ｂ（図８のステップＤ１１）を詳述するためのフローチャートである。
先ず、中央制御部１１は、編集対象のデータに対して編集操作が行われると（ステップＦ１でＹＥＳ）、この編集対象のデータに対応する表示用情報をデータ記憶部Ｍ３から読み出し、この表示用情報に対して編集操作の内容に応じた編集処理を行う（ステップＦ２）。更に、データ記憶部Ｍ３内の対応する「表示用情報」の内容を編集後の表示用情報に書き変えることにより「表示用情報」の更新を行う（ステップＦ３）。そして、更新した「表示用情報」を読み出して表示部１６に表示させた後（ステップＦ４）、上述のステップＦ１に戻る。以下、編集操作が行われる毎に上述の動作を繰り返す（ステップＦ１〜Ｆ４）。
【００５６】
ここで、編集の終了を指示する終了操作が行われたときには（ステップＦ５でＹＥＳ）、編集終了操作が行われる前までに行われた編集操作の内容に応じて、編集対象のデータに対して一括編集を行った後（ステップＦ６）、データ記憶部Ｍ３内の「データ」の内容を編集後のデータに書き変えることにより「データ」の更新を行う（ステップＦ７）。そして、編集後のデータに対して、上述の送信判別処理を行う（ステップＦ８）。すなわち、編集により編集後のデータが送信条件を満たさなくなったり、満たすようになったりする可能性があるため、図７のフローチャートに従った送信判別処理を行う。
【００５７】
その結果、編集装置４側で処理を実行させない、つまり、携帯電話機１側で実行を実行すると判別したときには（ステップＦ９でＮＯ）、図８のフローに戻るが、編集装置４側で処理を実行させると判別したときには（ステップＦ９でＹＥＳ）、データＩＤと共に編集後のデータ、表示用情報、付加情報を編集装置４に送信した後（ステップＦ１０）、編集装置４に送信した「データ」の内容をデータ記憶部Ｍ３内から削除する（ステップＦ１１）。そして、データ記憶部Ｍ３内の対応する「送信済みフラグ」を“１”とした後（ステップＦ１２）、図８のフローに戻る。
【００５８】
その他、図５において、電源オフ操作を検出したときには（ステップＡ９でＹＥＳ）、電源オフ処理を行った後（ステップＡ１０）、このフローの終了となるが、その他、着信を検出したり、発信操作が行われたりしたときには（ステップＡ１１でＹＥＳ）、それに応じたその他の処理として、通話処理などを行った後（ステップＡ１２）、上述のステップＡ３に戻る。なお、その他の処理（ステップＡ１２）としては、編集装置４で編集されたデータを送信条件記憶部Ｍ４の内容にかかわらずに取得することを指示する操作が行われると、編集装置４から編集後のデータをそのデータ量に関わらず、受信してデータ記憶部Ｍ３に記憶する処理を行う。また、データの閲覧を指示するデータ閲覧操作が行われると、それに応答してデータ記憶部Ｍ３の内容をサムネイル表示させる処理を行うが、その際、「送信済みフラグ」に応じて、編集装置４側に存在しているか携帯電話機１側に存在しているかを識別表示するようにしている。
【００５９】
以上のように、この実施形態において携帯電話機（端末装置）１は、取得したデータのデータ量に基づいて、このデータに対する処理を編集装置（外部装置）４側で実行させるか携帯電話機１側で実行するかを判別し、編集装置４側で処理を実行させると判別した場合には、編集装置４に対してデータを送信するようにしたので、取得したデータに対する処理を編集装置４側で実行させるか否かをデータ量に応じて適切に制御することができ、柔軟性や実用性に富んだものとなる。例えば、データ量の多いデータに対しては、編集装置４側で高速かつ高度に処理することができ、データ量の少ないデータに対しては、編集装置４にデータを送信することなく、携帯電話機１側で処理することができる。
【００６０】
携帯電話機１は、取得したデータのデータ量を検出するようにしたので、そのデータにデータ量に関する情報が付加されていなくても、このデータに対する処理を編集装置４側で実行させるか否かの判別を行うことができる。
【００６１】
携帯電話機１は、取得したデータに対する処理内容が指示された場合に、指示された処理内容に応じた処理を実行させるための命令を編集装置４に対して送信するようにしたので、指示された処理内容に応じた様々な処理を編集装置４側で実行させることができる。
【００６２】
携帯電話機１は、編集装置４に対してデータを送信したか否かを示す「送信済みフラグ」を参照して、処理の実行命令を編集装置４に対して送信するようにしたので、処理の実行命令を送信するか否かを容易に制御することができるほか、実行命令の送信タイミングで処理を開始させることが可能となる。
【００６３】
携帯電話機１は、編集装置４側で処理を実行させず、携帯電話機１側で実行するときには、取得したデータをデータ記憶部Ｍ３に記憶するようにしたので、そのデータに対するアクセスが容易かつ確実なものとなる。
【００６４】
携帯電話機１は、指示された処理内容に応じた処理をデータ記憶部Ｍ３に記憶されているデータに対して実行するようにしたので、例えば、データ量の少ないデータに対する処理については、携帯電話機１側で実行することができる。
【００６５】
携帯電話機１は、編集装置４側でデータの処理を実行させる場合に、データを表示部１６の画面の大きさに応じたサイズに変更して表示部１６の画面に表示させるための表示用情報を生成すると共に、この生成した表示用情報をデータ記憶部Ｍ３に記憶するようにしたので、編集装置４側でデータの処理を実行させる場合でも、ユーザにあっては、携帯電話機１側でそのデータの内容をいつでも自由に確認することができる。
【００６６】
携帯電話機１は、編集装置４に送信してデータに基づいてその表示用情報が編集装置４側で生成された場合に、その表示用情報を受信するようにしたので、この受信した表示用情報を表示させることにより、ユーザにあっては、編集装置４側で実行されたデータに対する処理の実行結果を表示用情報の内容により確認することができる。
【００６７】
携帯電話機１は、編集装置４側で処理されたデータを受信するようにしたので、この受信したデータを表示させることにより、ユーザにあっては、編集装置４側で実行されたデータに対する処理の実行結果を確認することができる。
【００６８】
携帯電話機１は、編集装置４側で処理が実行されたデータのデータ量に基づいてそのデータに対する処理を携帯電話機１側で実行する場合に、編集装置４側で処理が実行されたデータを受信するようにしたので、編集装置４側で処理が実行された場合に処理後のデータ量が大きく変動したとしても、処理後のデータ量に応じてそのデータに対する処理を編集装置４側で実行させるか否かを判別することができる。
【００６９】
携帯電話機１は、携帯電話機１側に記憶しているデータか編集装置４側に記憶されているデータかを識別表示するようにしたので、ユーザにあっては、その識別表示によりデータ量を推測することができ、更には、データが携帯電話機１側で処理されるのか編集装置４側で処理されるのかを容易に確認することができる。
【００７０】
なお、上述した実施形態では、図９に示したように編集対象のデータに対する処理を編集装置４側で実行させるための処理Ａにおいて、編集操作の内容に応じた編集命令を、そのデータＩＤと共に編集装置４に送信すると、編集装置４側では、編集命令を受信する毎にデータＩＤで特定される表示用情報に対して編集命令に応じた内容の編集を行った後、編集後の表示用情報を生成してデータＩＤと共に携帯電話機１に送信し、携帯電話機１は、編集装置４から編集後の表示用情報を受信して表示するようにしたが、携帯電話機１側で表示用情報の編集を行うようにしてもよい。
【００７１】
すなわち、図１１は、この実施形態（図９）の変形例として、携帯電話機１側で表示用情報の編集を行う場合の処理Ａを詳述するためのフローチャートである。この場合、図１１は、図９のフローチャートと基本的に同様であるため、その説明を簡単に行うものとする。ここで、図１１のステップＥ２１〜Ｅ３３のうち、ステップＥ２３は、図９のステップＥ３に代わるもので、その他のステップＥ２１、Ｅ２２、Ｅ２４〜Ｅ３３は、図９のステップＥ１、Ｅ２、Ｅ４〜Ｅ１３と同様であるため、その説明は省略する。図１１のステップＥ２３は、表示用情報に対する編集処理を実行するステップである。
【００７２】
先ず、中央制御部１１は、編集操作が行われると（ステップＥ２１でＹＥＳ）、この編集操作の内容に応じた編集命令を、データＩＤと共に編集装置４に送信すると共に（ステップＥ２２）、データＩＤで特定される表示用情報をデータ記憶部Ｍ３から読み出し、この表示用情報に対して編集操作の内容に応じた編集命令の処理を実行する（ステップＥ２３）。そして、データＩＤに基づいてデータ記憶部Ｍ３を検索し、対応する「表示用情報」の内容を編集後の表示用情報に書き変えることにより「表示用情報」の更新を行う（ステップＥ２４）。そして、更新した「表示用情報」を読み出して表示部１６に表示させた後（ステップＥ２５）、上述のステップＥ２１に戻る。以下、編集操作が行われる毎に上述の動作を繰り返す（ステップＥ２１〜Ｅ２５）。
【００７３】
このように携帯電話機１は、編集装置４側でデータの処理を実行させる場合に、指示された処理内容に応じた処理をデータ記憶部Ｍ３に記憶されている表示用情報に対して実行するようにすれば、ユーザにあっては、編集装置４側で実行されたデータに対する処理の実行結果を表示用情報の内容により容易に確認することができる。
【００７４】
また、上述した実施形態の図６ステップＢ１３では、編集装置４側で処理を実行させると判別されたデータについては、そのデータを記憶させず、その表示用情報、付加情報、データＩＤをデータ記憶部Ｍ３に追加記憶させるようにしたが、データも合わせて記憶させるようにしてもよい。
【００７５】
また、上述した実施形態においては、一時記憶の取得データを解析してそのデータ量を検出するようにしているが、上述したように一時記憶の取得データ内にそのデータ量を示す情報がヘッダー情報などとして含まれている場合には、その情報からデータ量を読み出すようにしてもよいほか、編集装置４側のみにデータが記憶されている場合には、編集装置４側から画像サイズなどを受信取得するようにしてもよい。
【００７６】
また、上述した実施形態の図９の処理Ａ、図１０の処理Ｂでは、編集操作が行われた場合に、表示用情報のみを編集し、そのデータに対する編集は、編集終了操作に応答して一括編集するようにしたが、編集操作が行われる毎に、表示用情報に対する編集と、そのデータに対する編集とを一緒に行うようにしてもよい。
また、図１０のステップＦ１１では、編集装置４に送信した「データ」をデータ記憶部Ｍ３内から削除するようにしたが、そのデータをデータ記憶部Ｍ３内に残しておいてもよい。
【００７７】
また、上述した実施形態において「表示用情報」は、元データを表示部１６の画面の大きさ（例えば、６４０×４８０ドット）に応じたサイズに変更したり、元データに対して減色したりした情報を示したが、それに限らず、元データよりもデータ量の少ない情報であればよい。
【００７８】
また、上述した実施形態においてデータは、画像データ、ドキュメントデータに限らず、音声データ、放送データ、表計算データなど、任意のデータであってもよい。また、データの取得は、撮影、ダウンロード、新規作成に限らず、例えば、音声データの録音、放送データの録画など、データを取得する任意の手段であってもよい。
【００７９】
また、データに対する処理は、編集処理に限らず、データの解凍、圧縮、結合、分割、コピー、削除など、データに対する任意の処理であってもよい。また、データ量としては、
画像サイズ、データサイズ、ページ数の個々に限らず、上述したように画像サイズ、データサイズ、ページ数の任意に組み合わせであってもよく、更に、解凍後のデータサイズ、複数件のデータの場合にはそのデータの件数など、任意のデータ量であってもよい。
【００８０】
また、端末装置としては携帯電話機１に限らず、パーソナルコンピュータ、ＰＤＡ、デジタルカメラ、音楽プレイヤーなど、任意の端末装置であってもよい。更に、折り畳みタイプの端末装置に限らず、ストレートタイプ、スライドタイプ、スピントップタイプなど任意の筐体構造であってもよい。その他、端末装置と外部装置との間の通信は、基地局を介した通信に限らず、基地局を介さない無線通信や有線通信など、任意の通信であってもよい。
【００８１】
また、上述した各実施形態において示した“装置”や“機”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【００８２】
１  携帯電話機（端末装置）
２  無線通信網
４  編集装置（外部装置）
１１  中央制御部
１３  記憶部
１４  無線通信部
１６  表示部
１７  操作部
２０  撮像部
Ｍ１  プログラム記憶部
Ｍ２  各種情報一時記憶部
Ｍ３  データ記憶部
Ｍ４  送信条件記憶部
【図１】
0005472992.tif 000002
【図２】
0005472992.tif 000003
【図３】
0005472992.tif 000004
【図４】
0005472992.tif 000005
【図５】
0005472992.tif 000006
【図６】
0005472992.tif 000007
【図７】
0005472992.tif 000008
【図８】
0005472992.tif 000009
【図９】
0005472992.tif 000010
【図１０】
0005472992.tif 000011
【図１１】
0005472992.tif 000012